(57)【要約】      （修正有）【課題】回動アームを収納する際に、配管部材が機体側に当たることを防止出来る作業車両を提供する。【解決手段】走行車体２と、左右両側に向けて回動可能に配置された左右一対のブーム本体部４１０と、防除タンク９と、左右一対のブーム本体部４１０に沿って取り付けられていると共に、防除タンク９から供給される散布剤を散布するための散布ノズル１０１を有する第１パイプ部材４５０Ａ〜第３パイプ部材４５０Ｃと、を備え、第１パイプ部材４５０Ａ〜第３パイプ部材４５０Ｃは、左右一対のブーム本体部４１０が走行車体２の左右両側に沿った収納姿勢にあるときに、ブーム本体部４１０の外側に位置する様に取り付けられている、薬液散布作業車１である。【選択図】図２
2019097404.tif 000002
【特許請求の範囲】
【請求項１】
走行車体と、
前記走行車体の左右側に設けられた回動部を利用して、前記走行車体の左右両側に向けて回動可能に配置された左右一対の回動アームと、
前記走行車体に載置された散布剤を貯留する散布剤タンクと、
前記左右一対の回動アームに沿って取り付けられていると共に、前記散布剤タンクから供給される前記散布剤を散布するための散布ノズルを有する配管部材と、を備え、
前記配管部材は、前記左右一対の回動アームが前記走行車体の左右両側に沿った収納姿勢にあるときに、前記回動アームの外側に位置する様に取り付けられている、ことを特徴とする作業車両。
【請求項２】
前記回動アームの先端部に一端部が固定され、他端部が前記回動アームの先端部から突き出しており、前記配管部材の内、少なくとも前記回動アームの先端部から突き出した部分を支持する支持プレートを備えたことを特徴とする請求項１に記載の作業車両。
【請求項３】
前記支持プレートと前記配管部材とは、前記支持する位置以外の第１の位置で連結されており、
前記支持プレートと前記回動部材とは、前記固定する位置以外の第２の位置で連結されている、ことを特徴とする請求項２に記載の作業車両。
【請求項４】
前記第１の位置と、前記第２の位置は、同じ位置であり、
前記配管部材と前記支持プレートと前記回動部材とは、前記同じ位置で連結されている、ことを特徴とする請求項３に記載の作業車両。
【請求項５】
前記支持プレートは、断面形状が実質上Ｌ字形状を成している、ことを特徴とする請求項１乃至４の何れか一つに記載の作業車両。
【発明の詳細な説明】
【技術分野】
【０００１】
本発明は、農用車両などとして用いられる作業車両に関する。
【背景技術】
【０００２】
従来、圃場を走行して薬液を散布するために用いられる作業車両としては、等間隔に薬剤散布用のノズルが取り付けられたノズルパイプが、センタブーム、及び左右のサイドブームに、それぞれ一本ずつ配置された構成が知られている（例えば、特許文献１参照）。
【先行技術文献】
【特許文献】
【０００３】
【特許文献１】特開２０１０−９９５６４号公報
【発明の概要】
【発明が解決しようとする課題】
【０００４】
しかしながら、特許文献１に示す作業車両では、左右のサイドブームに配置されたノズルパイプは、サイドブームが機体の左右両側に沿って収納された状態のときに、機体に近い側、即ち、サイドブームの内側に取り付けられているので、サイドブームを収納する際に、オーバーランしてノズルパイプが機体側に当たり例えばノズルパイプが破損する等の問題があった。
【０００５】
本発明の目的は、従来のこの様な課題に鑑みて、サイドブームを収納する際に、ノズルパイプが機体側に当たることを防止出来る作業車両を提供することを目的とする。
【課題を解決するための手段】
【０００６】
上記目的を達成するために、第１の本発明は、
走行車体と、
前記走行車体の左右側に設けられた回動部を利用して、前記走行車体の左右両側に向けて回動可能に配置された左右一対の回動アームと、
前記走行車体に載置された散布剤を貯留する散布剤タンクと、
前記左右一対の回動アームに沿って取り付けられていると共に、前記散布剤タンクから供給される前記散布剤を散布するための散布ノズルを有する配管部材と、を備え、
前記配管部材は、前記左右一対の回動アームが前記走行車体の左右両側に沿った収納姿勢にあるときに、前記回動アームの外側に位置する様に取り付けられている、ことを特徴とする作業車両である。
【０００７】
これにより、回動アームを収納する際に、配管部材が機体側に当たることを防止出来る。
【０００８】
また、第２の本発明は、
前記回動アームの先端部に一端部が固定され、他端部が前記回動アームの先端部から突き出しており、前記配管部材の内、少なくとも前記回動アームの先端部から突き出した部分を支持する支持プレートを備えたことを特徴とする上記第１の本発明の作業車両である。
【０００９】
これにより、上記第１の本発明の効果に加えて、配管部材の内、回動アームの先端部から突き出した部分が支持プレートにより支持されているので、配管部材の先端部の振れ、ガタツキ、損傷等が防止出来る。
【００１０】
また、第３の本発明は、
前記支持プレートと前記配管部材とは、前記支持する位置以外の第１の位置で連結されており、
前記支持プレートと前記回動部材とは、前記固定する位置以外の第２の位置で連結されている、ことを特徴とする上記第２の本発明の作業車両である。
【００１１】
これにより、上記第２の本発明の効果に加えて、配管部材の先端部の振れ、ガタツキ、損傷等がより一層確実に防止出来る。
【００１２】
また、第４の本発明は、
前記第１の位置と、前記第２の位置は、同じ位置であり、
前記配管部材と前記支持プレートと前記回動部材とは、前記同じ位置で連結されている、ことを特徴とする上記第３の本発明に記載の作業車両である。
【００１３】
これにより、上記第３の本発明の効果に加えて、同じ位置で連結されているので、締結部材が兼用出来る。
【００１４】
また、第５の本発明は、
前記支持プレートは、断面形状が実質上Ｌ字形状を成している、ことを特徴とする上記第１乃至第４の何れか一つの本発明に記載の作業車両である。
【００１５】
これにより、上記第１乃至第４の何れか一つの本発明の効果に加えて、配管部材を安定的に支持出来る。
【発明の効果】
【００１６】
本発明によれば、回動アームを収納する際に、配管部材が機体側に当たることを防止出来る作業車両を提供することが出来る。
【図面の簡単な説明】
【００１７】
【図１】本発明にかかる実施の形態における薬液散布作業車の左側面図
【図２】本発明にかかる実施の形態における薬液散布作業車の平面図
【図３】本発明にかかる実施の形態における薬液散布作業車の正面図
【図４】本発明にかかる実施の形態における薬液散布作業車を左斜め前方上側から見た斜視図
【図５】本実施の形態の薬液散布作業車の左側散布ブーム機構が、収納姿勢にあるときの斜視図
【図６】（ａ）：図５のＡ部の拡大図、（ｂ）：図５のＢ部の拡大図
【図７】（ａ）：図５のＣ部の拡大図、（ｂ）：図５のＤ部の拡大図
【図８】（ａ）：本実施の形態の作業灯の正面図、（ｂ）：図７（ｂ）に示すブーム本体部に取り付けられた作業灯をブーム本体の先端部側から見た状態を示す概略面
【図９】（ａ）：本実施の形態のブーム本体部の先端部及びその周辺部の拡大斜視図、（ｂ）：ブーム本体部の先端部に固定するＬ字プレートの斜視図、（ｃ）：パイプステーとＬ字プレートとを、ブーム本体のレール部を利用して共締めした状態を示す概略断面図であり、図９（ａ）に示したブーム本体部を後述する第２パイプステーの位置で切断してブーム本体部の先端部方向を見た状態の概略図
【図１０】本実施の形態の薬液散布作業車のフロント水平支柱の左端周辺の構成を示す概略斜視図
【図１１】本実施の形態の薬液散布作業車のブーム本体部を下方から見た斜視断面図
【図１２】（ａ）：本実施の形態の薬液散布作業車の左側散布ブームのブーム本体部に取り付けられ、第１パイプ部材を保持しているパイプステーの左側面図、（ｂ）：図１２（ａ）に示すＩ−Ｉ’線での断面矢視図、（ｃ）：図１２（ｂ）に示すＪ−Ｊ’線での断面矢視図
【図１３】本実施の形態の薬液散布作業車の左側ブーム受け部材を薬液散布作業車の前側から見た図
【図１４】（ａ）：本実施の形態のＬ字プレートに代えて長板部材を取り付けた場合のブーム本体部の先端部及びその周辺部の拡大斜視図、（ｂ）：ブーム本体部の先端部のレール部に挿入して固定する長板部材の斜視図、（ｃ）：パイプステーと長板部材とを、ブーム本体のレール部を利用して共締めした状態を示す概略断面図であり、図１４（ａ）に示したブーム本体部を第２パイプステーの位置で切断してブーム本体部の先端部方向を見た状態の概略図、（ｄ）：レール部に挿入された長板部材をブーム本体部に固定するために、ボルトを補助プレートを介してタップ付き第１貫通孔に螺合させた状態を示す概略断面図であり、図１４（ａ）に示したブーム本体部を長板部材のタップ付き第１貫通孔より上流側の位置で切断してブーム本体部の先端部方向を見た状態の概略図
【図１５】（ａ）：本実施の形態のパイプステーの別例としてのクランプ部材の概略斜視図、（ｂ）：左側散布ブームのブーム本体部に取り付けられた状態のクランプ部材を示す概略斜視図
【発明を実施するための形態】
【００１８】
以下に、図面を参照しながら本発明の作業車両にかかる一実施の形態の薬液散布作業車について説明する。
【００１９】
まず、図１〜図４を用いて、本実施の形態の薬液散布作業車１についてその概略構成及び動作を説明する。
【００２０】
図１は、本発明にかかる実施の形態における薬液散布作業車１の左側面図であり、図２は、本発明にかかる実施の形態における薬液散布作業車１の平面図である。また、図３は、本発明にかかる実施の形態における薬液散布作業車１の正面図である。なお、これら図１〜図３は、後述する左右の散布ブーム機構を走行車体の左右両側面に収納した状態（収納姿勢）を示す。
【００２１】
また、図４は、本発明にかかる実施の形態における薬液散布作業車１を左斜め前方上側から見た斜視図である。なお、図４は、左側散布ブーム機構１００Ｌは走行車体の左側面に収納した状態（収納姿勢）で、且つ右側散布ブーム機構１００Ｒは走行車体の右側に展開した状態（散布姿勢）を示している。
【００２２】
また、図３、図４では、後述するセンター散布ブーム機構１００Ｃの図示を省略した。
【００２３】
図１、図２に示す通り、本実施の形態の薬液散布作業車１は、左右一対の前輪３Ｌ、３Ｒ及び左右一対の後輪４Ｌ、４Ｒを有する走行車体２の前部においてボンネット５で覆われたエンジン６と、走行車体２の略中央部に配置された操縦席７と、操縦席７の前方に設けられた操縦ハンドル８と、走行車体２の後部において、平面視で、操縦席７の左右両側と後側の３方を取り囲む様に配置された薬液を貯留するための防除タンク９と、が設けられている。また、防除タンク９の後部であって走行車体２の下方に防除ポンプ１０が設けられている。また、防除タンク９の後方に載置台１１を設け、金属製や樹脂製の携行缶１２を載置可能に構成している。携行缶１２としては、水入りの缶や燃料入りの缶や薬剤入りの缶を置く場合がある。水の場合は、作業終了時（防除タンク９内の薬液無し状態）に水を防除タンク９内に投入し、散布ノズル１０１から水を散布して洗浄する場合に用いる。燃料の場合は、予備の燃料の搭載に用いる。薬剤の場合は、予備の薬剤の搭載に用いる。
【００２４】
また、走行車体２の前側には、防除散布装置１００が設けられている。
【００２５】
防除散布装置１００は、走行車体２の前方に配置されたセンター散布ブーム機構１００Ｃと、走行車体２の前方左右両端側において回動可能に設けられた左右一対の散布ブーム機構１００Ｌ、１００Ｒと、で構成されている。また、左右一対の散布ブーム機構１００Ｌ、１００Ｒには、後述する左右一対の散布ブーム１２０Ｌ、１２０Ｒを左右一対の回動部３００Ｌ、３００Ｒを介して回動させる左右一対の油圧式回動シリンダー１１０Ｌ、１１０Ｒが設けられている。また、左右一対の回動部３００Ｌ、３００Ｒは、後述するフロント水平支柱２２０の左右両端側に回動可能に取り付けられている。
【００２６】
また、走行車体２の前側には、防除散布装置１００を昇降する昇降リンク機構２００が設けられている。
【００２７】
昇降リンク機構２００は、図１、図２、図４に示す通り、ボンネット５の左右両側に回動可能に配置された左右一対の平行リンク２１０Ｌ、２１０Ｒと、ボンネット５の前方に配置されると共に左右一対の平行リンク２１０Ｌ、２１０Ｒの前端部に溶接固定されたフロント水平支柱２２０と、フロント水平支柱２２０を昇降させる油圧式昇降シリンダー２３０とを備えている。
【００２８】
左側の平行リンク２１０Ｌは、図１に示す様に、左側の上側リンク２１０Ｌａと下側リンク２１０Ｌｂと、これら左側の上側リンク２１０Ｌａ及び下側リンク２１０Ｌｂの後端部を所定間隔を隔てて回動可能に連結すると共に走行車体２のメインフレームの左側（車幅方向左側）に下端部が固定された左リンク第１連結部材２１１Ｌと、これら左側の上側リンク２１０Ｌａ及び下側リンク２１０Ｌｂの前端部を所定間隔を隔てて回動可能に連結する左リンク第２連結部材２１２Ｌとを備えている。
【００２９】
また、右側の平行リンク２１０Ｒについても、上述した左側の平行リンク２１０Ｌと同じ構成である。
【００３０】
また、左リンク第２連結部材２１２Ｌの前側面の下端部と右リンク第２連結部材２１２Ｒの前側面の下端部には、上述したフロント水平支柱２２０が溶接固定されており、当該フロント水平支柱２２０の左右幅は左側の平行リンク２１０Ｌと右側の平行リンク２１０Ｒとの左右の間隔より長く、概ね左右前輪３Ｌ、３Ｒの輪間距離（トレッド）程度の長さを有している。
【００３１】
また、左側の下側リンク２１０Ｌｂと右側の下側リンク２１０Ｒｂは、側面視で、ボンネット５の前端部とフロント水平支柱２２０の概ね中間位置付近において、左右リンク連結アーム２１３により連結されている（図２、図４参照）。
【００３２】
また、上述した油圧式昇降シリンダー２３０の本体部は、フロント水平支柱２２０の左右幅の中央部に立設されたシリンダー取り付けブラケット２３２の上端部に回動可能に取り付けられており、油圧式昇降シリンダー２３０のピストン２３１の先端部は、左右リンク連結アーム２１３に連結さている（図１、図２参照）。
【００３３】
これにより、油圧式昇降シリンダー２３０のピストン２３１が伸びる方向に移動すると、左右一対の平行リンク２１０Ｌ、２１０Ｒは、左リンク第１連結部材２１１Ｌ及び右リンク第１連結部材２１１Ｒとの連結部を回動軸として、前端側が上昇するので、フロント水平支柱２２０も同時に上昇する。
【００３４】
また、油圧式昇降シリンダー２３０のピストン２３１が収縮する方向に移動すると、左右一対の平行リンク２１０Ｌ、２１０Ｒは、左リンク第１連結部材２１１Ｌ及び右リンク第１連結部材２１１Ｒとの連結部を回動軸として、前端側が降下するので、フロント水平支柱２２０も同時に降下する。
【００３５】
上記構成によれば、左側散布ブーム回動スイッチと右側散布ブーム回動スイッチ（図示省略）をそれぞれ操作し、左右一対の油圧式回動シリンダー１１０Ｌ、１１０Ｒ（図２参照）を動作させることにより、左右一対の散布ブーム１２０Ｌ、１２０Ｒを走行車体２の左右方向に突出させた散布作業姿勢（図４の右側散布ブーム機構１００Ｒ参照）と、薬液散布作業車１の両側方に沿わせた収納姿勢（図１、図２、図３参照）とに切り替えることが出来る。
【００３６】
また、上記構成によれば、防除散布装置１００を油圧式昇降シリンダー２３０（図１参照）により昇降させることにより、薬液の散布高さを変更することが出来る。
【００３７】
また、防除タンク９の薬液は防除ポンプ１０により防除散布装置１００側に送られ、センター散布ブーム機構１００Ｃ及び左側散布ブーム機構１００Ｌ、右側散布ブーム機構１００Ｒのそれぞれに設けられた複数の散布ノズル１０１（図２参照）から、薬液が散布される。
【００３８】
次に、左側散布ブーム機構１００Ｌについて、主として図５〜図１０を用いて説明する。
【００３９】
図５は、左側散布ブーム機構１００Ｌが、収納姿勢にあるときの斜視図であり、左側散布ブーム機構１００Ｌを薬液散布作業車１の左後側上方から見た図である。なお、図５では、左側ブーム前受け部材５００ＦＬ、及び左側ブーム後受け部材５００ＢＬの図示を省略した。
【００４０】
また、図６（ａ）は、図５のＡ部の拡大図であり、図６（ｂ）は、図５のＢ部の拡大図である。
【００４１】
また、図７（ａ）は、図５のＣ部の拡大図であり、図７（ｂ）は、図５のＤ部の拡大図である。
【００４２】
また、図８（ａ）は、作業灯４８０の正面図であり、図８（ｂ）は、図７（ｂ）に示すブーム本体部４１０に取り付けられた作業灯４８０をブーム本体部４１０の先端部４１０ａ側から見た状態を示す概略面である。
【００４３】
また、図９（ａ）は、ブーム本体部４１０の先端部４１０ａ及びその周辺部の拡大斜視図であり、図９（ｂ）は、ブーム本体部４１０の先端部４１０ａに固定するＬ字プレート４９０の斜視図である。また、図９（ｃ）は、パイプステー４４０とＬ字プレート４９０とを、ブーム本体部４１０のレール部４１３を利用して共締めした状態を示す概略断面図であり、図９（ａ）に示したブーム本体部４１０を後述する第２パイプステー４４０βの位置で切断して先端部４１０ａ方向を見た状態の概略図である。なお、パイプステー４４０については、図１２（ａ）〜図１２（ｃ）を用いて更に説明する。
【００４４】
また、図１０は、フロント水平支柱２２０の左端周辺の構成を示す概略斜視図であり、フロント水平支柱２２０を薬液散布作業車１の左前方上方から見た図である。
【００４５】
なお、右側散布ブーム機構１００Ｒについては、左側散布ブーム機構１００Ｌと同じ構成であるのでその説明を省略し、同じ構成部分には同じ符号を付した。
【００４６】
即ち、左側散布ブーム機構１００Ｌは、図５〜図１０に示す様に、（１）左リンク第２連結部材２１２Ｌ（図１０参照）に一端部１１０Ｌａが回動可能に連結された左側油圧式回動シリンダー１１０Ｌと、（２）フロント水平支柱２２０の左端部において側面視で前側に傾斜した状態で、フロント水平支柱２２０に対して貫通配置された回動支持ピン２２１（図１０参照）を回動軸芯として、フロント水平支柱２２０に回動可能に連結された左側回動部３００Ｌと、（３）左側回動部３００Ｌの側面部に一端部が固定された左側散布ブーム１２０Ｌ（図５参照）と、を備えている。
【００４７】
また、左側油圧式回動シリンダー１１０Ｌのピストン１１１Ｌの先端部は、図１０に示す様に、左側回動部３００Ｌの上面端部に回動可能にピン１３０とヘアピン１３１で連結されており、ピストン１１１Ｌが矢印Ｃ１方向に伸びると、左側散布ブーム１２０Ｌが回動支持ピン２２１を回動軸芯として矢印Ｃ２方向に回動して散布作業姿勢となり、ピストン１１１Ｌが矢印Ｄ１方向に収縮すると、左側散布ブーム１２０Ｌが回動支持ピン２２１を回動軸芯として矢印Ｄ２方向に回動して収納姿勢となる構成である。
【００４８】
なお、回動支持ピン２２１は、上述した通り側面視で前側に傾斜しており、且つ、左側散布ブーム１２０Ｌの後述するブーム本体部４１０（図５参照）は、回動支持ピン２２１と直交する方向に配置されているので、左側散布ブーム１２０Ｌが収納姿勢にあるときは、ブーム本体部４１０は走行車体２の後方に向けて斜め上方に伸びており、散布作業姿勢にあるときは、ブーム本体部４１０は走行車体２の左方向に向けて概ね水平に伸びている（図４参照）。
【００４９】
次に、左側回動部３００Ｌについて更に説明する。
【００５０】
左側回動部３００Ｌは、図６（ａ）、図１０に示す様に、（１）左側散布ブーム１２０Ｌの根元部が一方の側面部３４０ａに固定されて、揺動軸３１１を揺動軸芯として左側散布ブーム１２０Ｌを上下方向に揺動可能に支持する上下揺動支持部３４０と、（２）回動支持ピン２２１（図１０参照）によりフロント水平支柱２２０の左端部において回動可能に連結されると共に、上下揺動支持部３４０の他方の側面部３４０ｂに溶接固定された回動連結部３５０と、を備えている。
【００５１】
また、上下揺動支持部３４０は、図６（ａ）に示す様に、（１）外周面に雄ねじ部が形成され先端部に貫通孔が形成されたダンパーピン３２１と、ダンパーピン３２１の根元側に配置された圧縮スプリング３２２と、外周面の雄ねじ部と噛み合ってスライド移動させることで圧縮スプリング３２２の圧縮量を調整可能に配置された調整ナット３２３とを有し、左側散布ブーム１２０Ｌの上下の揺動の程度を調整可能とする揺動調整部３２０と、（２）側面視でその下端部が揺動軸３１１により揺動可能に支持されると共に、その上端部にダンパーピン３２１の先端部の貫通孔に回動可能に挿入された揺動連結ピン３１２が配置された板状部材であって、平面視で略コの字状に折り曲げられた第１揺動支持部材３１０と、（３）下端部において揺動軸３１１の両端を支持する支持部３３１を有し、上端部に形成された貫通孔３３０ａ（図１０参照）の外周縁部に当接した圧縮スプリング３２２の伸張力（復元力）が、貫通孔３３０ａに貫通配置されたダンパーピン３２１を介して揺動連結ピン３１２を貫通孔３３０ａ側に引っ張る方向に常時作用する様に構成された部材であって、回動連結部３５０に対して溶接固定された第２揺動支持部材３３０と、を有している。
【００５２】
これにより、上記圧縮スプリング３２２による伸張力と、左側散布ブーム１２０Ｌの重量に起因した、揺動連結ピン３１２を貫通孔３３０ａ側から引き離す方向に引っ張る力とのバランスに応じて、揺動軸３１１を軸芯として上下に揺動することになり（図６（ａ）の矢印Ｇ参照）、左側散布ブーム１２０Ｌが上下に揺れたときの左側回動部３００Ｌにおける衝撃の吸収を行う構成である。
【００５３】
また、調整ナット３２３の締め込み量を調整することにより、左側散布ブーム１２０Ｌの上下揺動量（しなり具合）を調整することが出来る。
【００５４】
また、揺動軸３１１及び揺動連結ピン３１２は、座金と割りピン（図示省略）等を用いることで第１揺動支持部材３１０に対して着脱可能な構成とした。これにより、左側散布ブーム１２０Ｌの着脱を専用工具が無くても容易に行える。
【００５５】
なお、本実施の形態の走行車体２は、本発明の走行車体の一例にあたる。また、本実施の形態の防除タンク９は、本発明の散布剤タンクの一例にあたる。また、本実施の形態の左側回動部３００Ｌと回動支持ピン２２１とを包括する構成要素は、本発明の回動部の一例にあたり、本実施の形態の右側回動部３００Ｒと回動支持ピン２２１とを包括する構成要素は、本発明の回動部の一例にあたる。
【００５６】
次に、左側散布ブーム１２０Ｌについて、主として図５〜図７（ｂ）、図１１を用いて更に説明する。図１１は、ブーム本体部４１０を下方から見た斜視断面図である。
【００５７】
左側散布ブーム１２０Ｌは、図５〜図７（ｂ）に示す様に、
【００５８】
（１）アルミ製で断面が略多角形状で内部に中空部４１１が形成された中空棒状部材であるブーム本体部４１０（図１１参照）と、
【００５９】
（２）ブーム本体部４１０の長さの約１／３の長さを有した、断面が略コの字状の棒状部材であって、ブーム本体部４１０の上面から突き出した土手状リブ４１２（図１１参照）を挟んでボルト・ナット４０１等により着脱可能に固定すると共に、根元部が第１揺動支持部材３１０の側面部（図６（ａ）の符号３４０ａ参照）に溶接固定されたブームステー４２０と、
【００６０】
（３）ブームステー４２０と第１揺動支持部材３１０との間の溶接固定された部分を補強するために、先端部がブームステー４２０に溶接固定され且つ根元部が第１揺動支持部材３１０の側面部（図６（ａ）の符号３４０ａ参照）の上端部に溶接固定された補強用ステー４３０と、
【００６１】
（４）ブーム本体部４１０の両側面に設けられた溝状のレール部４１３（図１１参照）の内、ブーム本体部４１０が収納姿勢にあるときに走行車体２の側面から遠い方に位置するレール部４１３に着脱可能で且つスライド移動可能に装着されたパイプステー４４０（図２、図５、図１２参照）により保持され、複数個の散布ノズル１０１が、霧有り散布用、霧無し散布用等の各種ノズルに取り替え可能に取り付けられたステンレス製の第１パイプ部材４５０Ａ（図５、図６（ｂ）参照）、ステンレス製の第２パイプ部材４５０Ｂ（図５、図７（ａ）参照）、及び炭素繊維製の第３パイプ部材４５０Ｃ（図５、図７（ｂ）参照）と、
【００６２】
（５）第１パイプ部材４５０Ａと第２パイプ部材４５０Ｂとの間、第２パイプ部材４５０Ｂと第３パイプ部材４５０Ｃとの間、をそれぞれ個別につなぐための、両端にワンタッチカプラー４６１が取り付けられた高圧対応用の柔軟性を有するゴムホースである連結ホース４６０と、
【００６３】
（６）コの字状に折り曲げられた板状補強部材であって、ブーム本体部４１０に対してボルト・ナット４０１を用いて固定されたブームステー４２０の上面、及び両側面を挟み込んで、コの字状の両端部に形成された貫通孔とブームステー４２０の側面に設けられた溝状のレール部４１３とを利用して、着脱可能で且つスライド移動可能に装着された板状補強部材４７０と、
【００６４】
（７）ブーム本体部４１０の左右両側のレール部４１３の内、パイプステー４４０が取り付けられている側に対して反対側に位置するレール部４１３を利用して、先端部４１０ａの近傍にスライド移動可能に固定された作業灯４８０（図７（ｂ）、図８（ａ）、図８（ｂ）参照）と、
【００６５】
（８）ブーム本体部４１０の先端部４１０ａに一端部が固定され、他端部がその先端部４１０ａから突き出しており、第３パイプ部材４５０の先端側を支持するアルミ製のＬ字プレート４９０（図９（ａ）〜図９（ｃ）参照）と、を備えている。Ｌ字プレート４９０については更に後述する。
【００６６】
なお、板状補強部材４７０を、ブームステー４２０のレール部４１３に装着するための構成は、後述するパイプステー４４０（図１２（ｂ）参照）をブームステー４２０のレール部４１３に装着するための構成と同じである。
【００６７】
ここで、主として図８（ａ）、図８（ｂ）を用いて、作業灯４８０について説明する。
【００６８】
作業灯４８０は、図８（ａ）、図８（ｂ）に示す様に、（１）操縦席７の近傍に配置された散布ブーム回動スイッチ（図示省略）の横に並べて配置された作業灯入り切りスイッチ（図示省略）を入り操作することで点灯する略直方体状の作業灯本体部４８１と、（２）作業灯本体部４８１を左右両側からボルト４８２で支持した状態でレール部４１３の任意の位置に固定可能なＵ字プレート４８３と、（３）ブーム本体部４１０のレール部４１３内をスライド移動可能なサイズの略矩形状の板状部材にナット４４３ａが溶接固定された固定部材４４３と、から構成されている。
【００６９】
なお、ナット４４３ａが溶接固定された固定部材４４３に限らず例えば、長方形のプレート状の固定部材４４３において、ナット４４３ａを溶接固定する代わりに、ボルトのねじ部と螺合可能なタップが内壁面に切られた貫通孔が形成されていても良い。
【００７０】
また、作業灯本体部４８１は、ボルト４８２を緩めることにより、ボルト４８２の軸芯４８２ａを回動中心として上下方向（図８（ｂ）の矢印Ｋ方向参照）に回動可能であり、光の照射方向が決まるとボルト４８２を締め付けることで、作業灯本体部４８１の位置決め固定が出来る構成である。また、Ｕ字プレート４８３の下面中央部から下方に突き出した取付ステー４８３ａには貫通孔４８３ｂが形成されている。
【００７１】
また、作業灯本体部４８１と作業灯入り切りスイッチ（図示省略）とを電気的に接続するハーネス（図示省略）は、他の部材との引っ掛かりを防止するために、ブーム本体部４１０のレール部４１３の中に配置されている。
【００７２】
これにより、ブーム本体部４１０の先端部４１０ａのレール部４１３の開口部側から固定部材４４３を挿入し、Ｕ字プレート４８３の取付ステー４８３ａに形成された貫通孔４８３ｂからボルト４０２を挿入しナット４４３ａと螺合させ、しっかりと締め付けることでＵ字プレート４８３をブーム本体部４１０に着脱自在に固定出来る（図８（ｂ）参照）。
【００７３】
また、Ｕ字プレート４８３は、貫通孔４８３ｂを回動中心として矢印Ｌ方向（図８（ａ）参照）に回動可能であるので、所望の角度に調整した後、ボルト４０２をしっかりと締め付けることにより、矢印Ｌ方向における取付角度調整が可能である。
【００７４】
また、これにより、左右一対の散布ブーム１２０Ｌ、１２０Ｒのそれぞれのブーム本体部４１０において、パイプステー４４０が取り付けられている側と反対側、即ち、第１パイプ部材４５０Ａ〜第３パイプ部材４５０Ｃが取り付けられている側に対して反対側に作業灯４８０が取り付けられているので、左右一対の散布ブーム１２０Ｌ、１２０Ｒが散布姿勢にある時に、操縦席７から視認し易い。
【００７５】
また、これにより、左右一対の散布ブーム１２０Ｌ、１２０Ｒのそれぞれのブーム本体部４１０の先端部４１０ａに作業灯４８０が取り付けられているので、夕方等、周囲が暗くなっている状況下でも、散布の端の位置が確実に認識できて、作業性が向上する。
【００７６】
また、作業灯４８０は左右一対の散布ブーム１２０Ｌ、１２０Ｒが走行車体の左右両側に沿った収納姿勢にあるときに、左右一対の散布ブーム１２０Ｌ、１２０Ｒの内側に設けているが、作業灯４８０は防除タンク９の後方に位置するため（図５参照）、作業灯４８０が走行車体に当接して破損することはない。
【００７７】
なお、本実施の形態の作業灯４８０は、エンジン６が切り状態であってもエンジンキースイッチを電源入の位置にしておけば点灯の入り切りが出来る構成である。
【００７８】
また、作業灯４８０の取付高さは、左右一対の散布ブーム１２０Ｌ、１２０Ｒが散布姿勢にある時に、左右両端の散布ノズル１０１よりも高い位置にくる様に取付られており、薬剤噴霧により遮光されることが無いので、左右両端の散布ノズル１０１の位置を確実に視認出来る。
【００７９】
次に、主として図９（ａ）〜図９（ｃ）を用いて、Ｌ字プレート４９０について更に説明する。
【００８０】
本実施の形態では、図９（ａ）に示す様に、炭素繊維製の第３パイプ部材４５０Ｃの全長の略半分程度の部位は、ブーム本体部４１０の先端部４１０ａから突き出しており、Ｌ字プレート４９０を用いて取り付けられている。
【００８１】
また、Ｌ字プレート４９０は、断面形状が実質上Ｌ字形状を成しており（図９（ａ）〜図９（ｃ）参照）、ブーム本体部４１０のレール部４１３側に面する辺に第１貫通孔４９１ａ、第２貫通孔４９１ｂ、及び第３貫通孔４９１ｃが形成されている（図９（ｂ）参照）。
【００８２】
また、Ｌ字プレート４９０は、第１貫通孔４９１ａと第２貫通孔４９１ｂにそれぞれ挿入された２本のボルト４０２と、ブーム本体部４１０のレール部４１３に配置された２つの固定部材４４３（図９（ｃ）参照）とにより、ブーム本体部４１０のレール部４１３に、着脱可能で且つスライド可能に確実に固定されている。
【００８３】
なお、ナット４４３ａが溶接固定された固定部材４４３に限らず例えば、長方形のプレート状の固定部材４４３において、ナット４４３ａを溶接固定する代わりに、ボルトのねじ部と螺合可能なタップが内周壁面に切られた貫通孔が形成されていても良い。
【００８４】
本実施の形態では、Ｌ字プレート４９０の第２貫通孔４９１ｂに挿入されたボルト４０２は、パイプステー本体部４４１の貫通孔４４１ａにも同時に挿入されて、固定部材４４３に対して締め付けられているので、Ｌ字プレート４９０とパイプステー本体部４４１とは、第２貫通孔４９１ｂの位置において、同一の締結部材（即ち、ボルト４０２と固定部材４４３）により、ブーム本体部４１０に共締め固定されている。なお、このパイプステー本体部４４１に対応するパイプステー４４０を、本願明細書において便宜上、第２パイプステー４４０βと称する場合がある（図９（ａ）参照）。
【００８５】
一方、第３パイプ部材４５０Ｃの上流部、即ち、連結ホース４６０に取り付けられたワンタッチカプラー４６１に隣接する部位は、図９（ａ）に示す様に、ブーム本体部４１０のレール部４１３の内、ワンタッチカプラー４６１に近接する部位に着脱可能で且つスライド可能に固定されたパイプステー４４０により、しっかりと保持されている。なお、このパイプステー４４０を、本願明細書において便宜上、第１パイプステー４４０αと称する場合がある（図９（ａ）参照）。
【００８６】
また、第３パイプ部材４５０Ｃの中間部は、Ｌ字プレート４９０の第２貫通孔４９１ｂとパイプステー本体部４４１の貫通孔４４１ａとに同時に挿入されたボルト４０２と固定部材４４３とにより、上述した様に、ブーム本体部４１０にＬ字プレート４９０と共に、共締め固定されたパイプステー４４０（即ち、第２パイプステー４４０β）により、しっかりと保持されている。
【００８７】
更にまた、第３パイプ部材４５０Ｃの下流部、即ち、ブーム本体部４１０の先端部４１０ａから突き出した部位の先端側は、Ｌ字プレート４９０の第３貫通孔４９１ｃに挿入されたボルト４０２とナット（図示省略）とにより、Ｌ字プレート４９０に着脱可能に固定されたパイプステー４４０により、しっかりと保持されている。なお、このパイプステー４４０を、本願明細書において便宜上、第３パイプステー４４０γと称する場合がある（図９（ａ）参照）。
【００８８】
以上説明した様に、本実施の形態のＬ字プレート４９０によれば、Ｌ字プレート４９０は、ブーム本体部４１０の先端部４１０ａの周辺のレール部４１３に対して、第１貫通孔４９１ａと第２貫通孔４９１ｂを介して２か所で締結部材（即ち、ボルト４０２と固定部材４４３）により固定されており、また、第３パイプ部材４５０Ｃの先端側は、上述した第３パイプステー４４０γにより、Ｌ字プレート４９０に固定されており、また、第３パイプ部材４５０Ｃの中央部は、上述した第２パイプステー４４０βにより保持されると共に、当該第２パイプステー４４０βとＬ字プレート４９０とが、同一の締結部材（即ち、ボルト４０２と固定部材４４３）により、ブーム本体部４１０のレール部４１３に共締め固定されている。
【００８９】
これにより、ブーム本体部４１０の先端側の重量を低減させることが出来ると共に、第３パイプ部材４５０Ｃの振動やガタツキを防止出来る。また、これにより、第３パイプ部材４５０Ｃとブーム本体部４１０との取付部の損傷の発生が防止出来る。
【００９０】
また、第２パイプステー４４０βとＬ字プレート４９０とが、同一の締結部材（即ち、ボルト４０２と固定部材４４３）により、ブーム本体部４１０のレール部４１３に共締め固定されているので、締結部材が兼用出来る。
【００９１】
次に、第１パイプ部材４５０Ａと第２パイプ部材４５０Ｂとを連結する連結ホース４６０（図６（ｂ）では、説明の都合上、他の連結ホースと区別するために符号４６０ａを付した）と、第１パイプ部材４５０Ａをブーム本体部４１０のレール部４１３に取り付ける２つのパイプステー４４０の内、最下流側のパイプステー４４０（図６（ｂ）では、説明の都合上、他のパイプステーと区別するために、符号４４０ａを付した）と、第２パイプ部材４５０Ｂをブーム本体部４１０のレール部４１３に取り付ける３つのパイプステー４４０の内、最上流側のパイプステー４４０（図６（ｂ）では、説明の都合上、他のパイプステーと区別するために、符号４４０ｂを付した）と、ブームステー４２０の先端部４２０ａ（図６（ｂ）参照）と、の配置関係について更に説明する。
【００９２】
即ち、本実施の形態では、ブームステー４２０の先端部４２０ａ（図６（ｂ）参照）を挟む位置であって、ブーム本体部４１０の長手方向に隣り合った位置に配置されている２つのパイプステー４４０ａと４４０ｂ（図６（ｂ）参照）の内の、一方のパイプステー４４０ａにより保持された第１パイプ部材４５０Ａと、他方のパイプステー４４０ｂにより保持された第２パイプ部材４５０Ｂは、柔軟性を有する連結ホース４６０ａで連通されている。
【００９３】
これにより、板状補強部材４７０を介してブームステー４２０の先端部４２０ａと連結されているブーム本体部４１０は、その先端部４２０ａの近傍の部位において想定以上の応力が集中して、当該部位でブーム本体部４１０が仮に折れる等の過酷な状況になった場合でも、上記の配置関係により、ブーム本体部４１０において応力が集中し易い箇所を挟む位置に隣接配置された、一方のパイプステー４４０ａと他方のパイプステー４４０ｂにより保持された第１パイプ部材４５０Ａと第２パイプ部材４５０Ｂとは互いに分割されており、且つ柔軟性を有する連結ホース４６０ａで連結されているため、連結ホース４６０ａの部位を境にして、第２パイプ部材４５０Ｂ及び第３パイプ部材４５０Ｃ側が垂れ下がる等の状況にはなるものの、第１パイプ部材４５０Ａ〜第３パイプ部材４５０Ｃの何れのパイプ部材についても折れることはない。
【００９４】
また、本実施の形態では、上述した通り、第１パイプ部材４５０Ａと第２パイプ部材４５０Ｂは、ステンレス製としたことにより、錆が防止出来ると共に、安価に構成出来る。
【００９５】
また、上述した通り、ブーム本体部４１０は、その土手状リブ４１２をブームステー４２０の凹部に対して下側から差し込み（図１１参照）、ボルト・ナット４０１（図６（ｂ）参照）で着脱可能に固定されている。
【００９６】
これにより、ブーム本体部４１０の上下方向の振れを下方向からブームステー４２０で受けることが出来るので、強度アップが図れる。また、ブームステー４２０の根元はブーム本体部４１０の根元より幅が広いので強度が向上する。
【００９７】
また、上述した通り、ブームステー４２０とブーム本体部４１０は、ボルト・ナット４０１を用いた固定の他に、コの字状に折り曲げられた板状補強部材４７０（図６（ｂ）参照）によって、固定されている。
【００９８】
これにより、ボルト・ナット４０１のボルトとその孔部に応力が集中することを避けることが出来、ブーム本体部４１０のガタツキ防止が出来、また、強度アップが図れる。
【００９９】
なお、薬液分岐装置Ｅは、図２に示すように、操縦席７の右側に設けられている。防除ポンプ１０と薬液分岐装置Ｅはホース１０ａで連結されている。薬液分岐装置Ｅには散布右コックレバーＥ１、散布中央コックレバーＥ２、散布左コックレバーＥ３が設けられている。散布右コックレバーＥ１、散布中央コックレバーＥ２、及び散布左コックレバーＥ３の上端部は、作業者による操作が可能な様に、上方に突き出している。
【０１００】
これにより、図２に示す様に、散布右コックレバーＥ１を開操作すると、右側供給ホース１０２Ｒを経由して右側散布ブーム１２０Ｒから薬液が散布される。散布中央コックレバーＥ２を開操作すると、中央供給ホース１０２Ｃを経由してセンター散布ブーム機構１００Ｃから薬液が散布される。散布左コックレバーＥ３を開操作すると、左側供給ホース１０２Ｌを経由して左側散布ブーム１２０Ｌから薬液が散布される。
【０１０１】
また、本実施の形態の薬液散布作業車１には、図１〜図３に示す様に、収納姿勢にある左右一対の散布ブーム１２０Ｌ、１２０Ｒの前部側を底面側から受けるために、左リンク第１連結部材２１１Ｌ及び右リンク第１連結部材２１１Ｒの後面に固定された左右一対のブーム前受け部材５００ＦＬ、５００ＦＲと、左右一対の散布ブーム１２０Ｌ、１２０Ｒの後部側を底面側から受けるために、防除タンク９の上面の左右後端部に固定された左右一対のブーム後受け部材５００ＢＬ、５００ＢＲとが設けられている。
【０１０２】
なお、左右一対の散布ブーム１２０Ｌ、１２０Ｒを収納姿勢に位置させる場合、走行車体２の左右側面に回動済みの左右一対の散布ブーム１２０Ｌ、１２０Ｒが、後上がりの傾斜状態のまま、油圧式昇降シリンダー２３０の作動により降下されると、先に、左右一対のブーム後受け部材５００ＢＬ、５００ＢＲが、ブーム本体部４１０の後部側の底面を受け止め、更に、降下されることで、左右一対のブーム前受け部材５００ＦＬ、５００ＦＲが、ブーム本体部４１０の前部側の底面を受け止める様に構成されている。
【０１０３】
これにより、左右一対のブーム本体部４１０が、後部側で浮かない様に出来るので、ブーム本体部４１０の後部の振動を軽減できる。
【０１０４】
また、上記の様に、左右一対のブーム本体部４１０のそれぞれの底面が、前部側と後部側の２箇所において、ブーム受け本体部５１０により受け止められる構成としたことにより、左右一対のブーム本体部４１０のしなりを防止することが出来る。
【０１０５】
左右一対のブーム前受け部材５００ＦＬ、５００ＦＲと、左右一対のブーム後受け部材５００ＢＬ、５００ＢＲは、薬液散布作業車１との固定部の形状については、前者と後者で異なるが、後述するブーム受け本体部５１０（図１３参照）の形状は両者において同じである。なお、ブーム受け本体部５１０の構成については、左側ブーム前受け部材５００ＦＬを一例として挙げて、図１３を用いて更に後述する。
【０１０６】
即ち、左右一対のブーム前受け部材５００ＦＬ、５００ＦＲのそれぞれは、図２、図３に示す様に、（１）左右一対の散布ブーム１２０Ｌ、１２０Ｒを底面側から受けるブーム受け本体部５１０と、（２）一端部がブーム受け本体部５１０に固定され、他端部が左右一対のリンク第１連結部材２１１Ｌ、２１１Ｒの後面（図１、図２参照）に固定された、断面が円形で左右方向に真っすぐ水平に伸びたパイプ状の前受け部材固定部５２０Ｆとを備えている（図１３参照）。
【０１０７】
本実施の形態では、操縦席７の左側に昇降ステップ６００（図１参照）が設けられており、また、昇降ステップ６００を利用する際に、作業者が手で握ることが出来る様に、操縦席７の左側で且つ防除タンク９の左側面前端部にタンク側把持部６１０（図１〜図３参照）が設けられている。
【０１０８】
そして、上述した左側に配置されたパイプ状の前受け部材固定部５２０Ｆは、昇降ステップ６００を利用する際に、作業者が手で握ることが出来る把持部の機能を兼ねている。
【０１０９】
これにより、作業者が、昇降ステップ６００から操縦席７に上る際には、左手でパイプ状の前受け部材固定部５２０Ｆを握り、且つ、右手でタンク側把持部６１０を握ることが出来るので、昇降ステップ６００を安定した姿勢でスムーズに上ることが出来る。
【０１１０】
また、左右一対のブーム後受け部材５００ＢＬ、５００ＢＲのそれぞれは、図１〜図３に示す様に、（１）左右一対の散布ブーム１２０Ｌ、１２０Ｒを底面側から受けるブーム受け本体部５１０と、（２）一端部がブーム受け本体部５１０に固定され、他端部が防除タンク９の上面の左右後端部に固定された、断面が円形でパイプ状の後受け部材固定部５２０Ｂとを備えている。
【０１１１】
また、左右一対の後受け部材固定部５２０Ｂのそれぞれは、図１〜図３に示す様に、その他端部が、防除タンク９の上面の左右後端部に固定されており、一端部に至るまでの途中においては、当該一端部に近づくに従って、平面視（図２参照）で前方に傾斜すると共に、正面視（図３参照）で上方に傾斜する姿勢をとり、一端部においては、平面視（図２参照）で左右方向に真っすぐに伸びていると共に、正面視（図３参照）で水平姿勢をとる様に構成されている。
【０１１２】
これにより、後方向に荷重がかからないようにすることが出来る。後受け部材固定部５２０Ｂはプレートを介して防除タンク９にボルトで固定されているが、後受け部材固定部５２０Ｂはプレートに対して溶接されており、後に荷重がかかり過ぎると、プレートの防除タンク９に対する固定の前側のボルト固定が緩みやすくなるので、このような不具合発生を防止できる。
【０１１３】
また、左右一対の後受け部材固定部５２０Ｂの上記一端部には、防除タンク９に水を入れ、薬液を入れるときのホース６２０（図１、図３参照）を引っ掛けるためのフック６３０（図１〜図３参照）が、取り付けられている。
【０１１４】
これにより、ホース６２０を安定して保持出来るので、作業性の向上が図られる。
【０１１５】
また、後受け部材固定部５２０Ｂは、防除タンク９の後側に固定されているため、機体に対する防除タンク９の固定を外して後方にスライドさせながら防除タンク９を降ろす場合、後受け部材固定部５２０Ｂにロープ等を引っかけて後方に引くことで、作業が容易となる。
【０１１６】
次に、パイプステー４４０について、図１２（ａ）〜図１２（ｃ）を用いて更に説明する。
【０１１７】
図１２（ａ）は、左側散布ブーム１２０Ｌのブーム本体部４１０に取り付けられ、第１パイプ部材４５０Ａを保持しているパイプステー４４０の左側面図である。
【０１１８】
また、図１２（ｂ）は、左側散布ブーム１２０Ｌのブーム本体部４１０に取り付けられ、第１パイプ部材４５０Ａを保持しているパイプステー４４０を説明するための概略断面図であり、図１２（ａ）に示すＩ−Ｉ’線での断面矢視図である。
【０１１９】
また、図１２（ｃ）は、図１２（ｂ）に示すＪ−Ｊ’線での断面矢視図である。
【０１２０】
なお、第１パイプ部材４５０Ａ〜第３パイプ部材４５０Ｃのそれぞれを保持するパイプステー４４０は全て同じ構成であるので、ここでは、第１パイプ部材４５０Ａを保持する場合について説明する。
【０１２１】
パイプステー４４０は、図１２（ａ）〜図１２（ｃ）に示す様に、
【０１２２】
（１）第１パイプ部材４５０Ａを上部に配置し固定すると共に、ブーム本体部４１０のレール部４１３に着脱可能に固定される略Ｌ字形状のパイプステー本体部４４１と、
【０１２３】
（２）第１パイプ部材４５０Ａの外周面に巻き付けて締め付けた状態でパイプステー本体部４４１の上面に固定するパイプクランプ部４４２と、
【０１２４】
（３）ブーム本体部４１０のレール部４１３内をスライド移動可能なサイズの略矩形状の板状部材にナット４４３ａが溶接固定された固定部材４４３と、を備えている。
【０１２５】
また、パイプクランプ部４４２は、（１）両端部４４２ａ１が分離可能に重ねられており、中央部が、第１パイプ部材４５０Ａの外周面に巻き付け可能に略円弧状に予め成形された金属製のクランプ本体４４２ａと、（２）断面が略Ｃ字形状（図１２（ｃ）参照）に成形されたゴム製の部材であって、クランプ本体４４２ａの略円弧状の部位の両端縁部４４２ａ２を取り囲む様に装着されたゴム製成形部材４４２ｂと、（３）クランプ本体４４２ａの両端部４４２ａ１を、パイプステー本体部４４１の上面に固定するためのボルト・ナット４４２ｃと、から構成されている。
【０１２６】
なお、図１２（ａ）〜図１２（ｃ）では、ボルト・ナット４４２ｃのナットは一つである場合を示しているが、これに限らず例えば、ダブルナットで固定する構成としても良い。
【０１２７】
これにより、パイプステー本体部４４１の下端部に設けられた貫通孔４４１ａからボルト４０２を挿入しナット４４３ａと螺合させ、しっかりと締め付けることによりパイプステー本体部４４１をブーム本体部４１０に着脱自在に固定出来る。また、固定部材４４３は、レール部４１３内をスライド移動可能に構成されているので、ボルト４０２とナット４４３ａが螺合した状態で、ボルト４０２を少し緩めることで、パイプステー４４０をレール部４１３に沿って容易に任意の位置に移動させることが出来る。これにより、第１パイプ部材４５０Ａを任意の位置で保持することが出来る。
【０１２８】
また、ブーム本体部４１０にレール部４１３を設けて、パイプステー４４０の着脱及びスライド移動を可能としたことにより、レール部４１３に代えてタップ付きの孔部を設けてパイプステー４４０を着脱可能にした場合に比べて、孔部への応力集中が生じないのでブーム本体部４１０の強度アップを図れる。
【０１２９】
また、第１パイプ部材４５０Ａを、パイプクランプ部４４２を介して、パイプステー本体部４４１の上に固定したことにより、第１パイプ部材４５０Ａの振れを防止することが出来る。
【０１３０】
また、クランプ本体４４２ａの内側、即ち、第１パイプ部材４５０Ａが位置する側は、予め装着されたゴム製成形部材４４２ｂで覆われているので、パイプステー４４０による第１パイプ部材４５０Ａの把持力が向上すると共に、ガタツキ防止、ズレ防止、及び振れ防止が実現出来、第１パイプ部材４５０Ａを傷付けることが無い。
【０１３１】
また、ゴム製成形部材４４２ｂは、クランプ本体４４２ａの略円弧状の部位の両端縁部４４２ａ２を取り囲む様に装着されているので、接着剤等を使用しなくても、クランプ本体４４２ａから脱落することを防止出来る。
【０１３２】
次に、上述した通り、左側ブーム前受け部材５００ＦＬを一例として挙げながら、主としてブーム受け本体部５１０の構成について、図１３を用いて説明する。
【０１３３】
図１３は、左側ブーム前受け部材５００ＦＬを薬液散布作業車１の前側から見た図である。
【０１３４】
なお、左右のブーム前受け部材５００ＦＬ、５００ＦＲの構成は同じであるので、ここでは、左側ブーム前受け部材５００ＦＬについて説明し、右側ブーム前受け部材５００ＦＲの説明は省略する。
【０１３５】
即ち、左側ブーム前受け部材５００ＦＬは、上述した通り、（１）ブーム受け本体部５１０と、（２）パイプ状の前受け部材固定部５２０Ｆとを備えている（図１３参照）。
【０１３６】
また、ブーム受け本体部５１０は、図１３に示す様に、略Ｊ字状に湾曲したブーム受け基部５１１の内面側にゴム製の板状部材５１２を貼り付けてあるので、左側散布ブーム１２０Ｌのブーム本体部４１０を受ける際の衝撃を吸収すると共に、ブーム本体部４１０に傷が付くのを防止出来る。
【０１３７】
また、ゴム製の板状部材５１２は、上下の両端部において、固定用ボルト５１３によりブーム受け基部５１１に対して固定されているので剥がれにくい。また、固定用ボルト５１３の頭部がゴム製の板状部材５１２の表面から突き出さない様にするために、ゴム製の板状部材５１２には固定用ボルト５１３を通すための貫通孔の周囲に凹部５１２ａが形成されている。これにより、固定用ボルト５１３の頭部が突き出さないので、ブーム本体部４１０等が引っ掛かることが無い。
【０１３８】
また、ブーム受け本体部５１０の下部裏面を基準とした、ブーム受け本体部５１０の外側立ち上がり部５１１ａの高さＨ１は、ブーム受け本体部５１０の内側立ち上がり部５１１ｂの高さＨ２より低く構成されており、且つ、外側立ち上がり部５１１ａは外側に向けて傾斜すると共に内側立ち上がり部５１１ｂは内側（機体側）に向けて傾斜している。また、外側立ち上がり部５１１ａの高さＨ１は、左側散布ブーム１２０Ｌが収納姿勢にあるときに、パイプステー４４０や、第１パイプ部材４５０Ａと干渉しない様に構成されている。
【０１３９】
これにより、左側散布ブーム１２０Ｌを散布作業姿勢から収納姿勢に移動させる際に、左側油圧式回動シリンダー１１０Ｌ及び油圧式昇降シリンダー２３０の作動により、車体の内側に向けて移動してきたブーム本体部４１０が内側立ち上がり部５１１ｂに当接した後、傾斜面に沿ってスムーズにブーム受け本体部５１０の底面に移動し保持されるので、左側散布ブーム１２０Ｌが走行車体２に当たるのを防止出来る。
【０１４０】
また、第１パイプ部材４５０Ａと第２パイプ部材４５０Ｂと第３パイプ部材４５０Ｃは、左右一対の散布ブーム１２０Ｌ、１２０Ｒが収納姿勢にあるときに、それぞれのブーム本体部４１０の左右両側のレール部４１３の内、走行車体２から遠い方に位置するレール部４１３においてパイプステー４４０を介してスライド移動可能に固定されているので、左右一対の散布ブーム１２０Ｌ、１２０Ｒが散布作業姿勢から収納姿勢に移動させられた際に、仮にオーバーランしたとしても、第１パイプ部材４５０Ａ、第２パイプ部材４５０Ｂ、及び第３パイプ部材４５０Ｃが、ブーム受け本体部５１０の外側立ち上がり部５１１ａに固定されたゴム製の板状部材５１２や、防除タンク９の側面等に衝突することが無い。
【０１４１】
また、左側散布ブーム１２０Ｌを収納姿勢から展開して散布作業姿勢に移動させる際には、外側立ち上がり部５１１ａの高さＨ１が、内側立ち上がり部５１１ｂの高さＨ２よりも低く構成されているので、スムーズに展開させることが出来る。また、ブーム受け本体部５１０の両端が上方に向けて広がる様に立ち上がっているので、ブーム本体部４１０を入れやすい。また、ブーム受け本体部５１０の両端が立ち上がっているので、収納姿勢で走行中に外れにくい。
【０１４２】
また、ブーム受け基部５１１の内面側に貼り付けられたゴム製の板状部材５１２の内、ブーム本体部４１０の下面を受け止める底面の左右方向の幅は、ブーム本体部４１０の下面の幅と同じであるので、ブーム本体部４１０の左右横方向へのガタツキが防止出来る。
【０１４３】
なお、右側散布ブーム１２０Ｒの構成についても上述した左側散布ブーム１２０Ｌと同じ構成であり、第１パイプ部材４５０Ａの上流側端部には、上流端が薬液分岐装置Ｅに接続された右側供給ホース１０２Ｒの下流端が連結されている。
【０１４４】
また、センター散布ブーム機構１００Ｃは、図２、図１０に示す様に、上述した第２パイプ部材４５０Ｂが、パイプクランプ部４４２（図１０、図１２（ｂ）参照）を用いてＬ字ステー１０４に着脱可能に装着されている。第２パイプ部材４５０Ｂの右端には、上流端が薬液分岐装置Ｅに接続された中央供給ホース１０２Ｃの下流端が連結されている（図２参照）。また、センター散布ブーム機構１００ＣのＬ字ステー１０４は、図２、図１０に示す様に、フロント水平支柱２２０の左右両端側と中央の前面部にそれぞれの一端部が固定されて前方に突き出したＬ字ステー取付部１０３の他端部により固定されている。
【０１４５】
上記の様に、センター散布ブーム機構１００Ｃでは、ブーム本体部４１０に代えて、断面が略Ｌ字形状のＬ字ステー１０４を用いたことにより、軽量化を実現することが出来る。
【０１４６】
また、センター散布ブーム機構１００Ｃでは、上述した第２パイプ部材４５０Ｂを使用したことにより、部品の共用化が図れる。
【０１４７】
以上説明した様に、ブーム本体部４１０とパイプ部材（図５の第１パイプ部材４５０Ａ、第２パイプ部材４５０Ｂ、第３パイプ部材４５０Ｃ参照）とを分離してそれぞれ別部材としたことにより、例えば、ブーム本体部４１０が損傷して交換又は修理が必要な場合でも、ブーム本体部と薬液の通路が一体となった構成に比べて、交換・修理等のメンテナンスが容易に行える。
【０１４８】
また、ブーム本体部４１０に取り付けられた、ノズル付きのパイプ部材は、左右の散布ブーム１２０Ｌ、１２０Ｒについては３分割されており（図５の第１パイプ部材４５０Ａ、第２パイプ部材４５０Ｂ、第３パイプ部材４５０Ｃ参照）、センター散布ブーム機構１００Ｃについては、第２パイプ部材４５０Ｂが共用化されている。
【０１４９】
これにより、パイプ部材が破損した場合は、その破損したパイプ部材のみ交換すればよいので、作業性の向上が図れる。また、それぞれのパイプ部材の長さが、分割せず一体構成にしたパイプ部材に比べて短くなるので、破損し難い。
【０１５０】
また、各パイプ部材（図５の第１パイプ部材４５０Ａ、第２パイプ部材４５０Ｂ、第３パイプ部材４５０Ｃ参照）は、パイプステー４４０によりブーム本体部４１０に対して着脱自在に構成されているので、ブーム本体部４１０に取り付けるパイプ部材の数を増減させることで、薬液の散布幅を容易に調整できる。
【０１５１】
また、パイプ部材同士は、両端にワンタッチカプラー４６１を備えた連結ホース４６０により連結されているので、工具無して着脱が容易に行える。
【０１５２】
また、ブーム本体部４１０は、アルミ製で内部が中空構造であるため軽量化が図れると共に、図１１に示す様に、断面が多角形を成しているので高強度化が図れる。
【０１５３】
また、ブーム本体部４１０は、図１１に示す様に、レール部４１３が両側に設けられているので、ノズル付きのパイプ部材（図５の第１パイプ部材４５０Ａ、第２パイプ部材４５０Ｂ、第３パイプ部材４５０Ｃ参照）を、どちら側にでも取り付け可能である。
【０１５４】
また、ブーム本体部４１０は、第１揺動支持部材３１０の側面部（図６の符号３４０ａ参照）に直接固定するのではなく、ブームステー４２０により土手状リブ４１２（図１１参照）を挟み込んでボルト・ナット４０１等で固定する構成としたことにより、ブーム本体部４１０が散布作業姿勢にある時に前後方向の振れに対して強い強度を有し、ブーム本体部４１０の長さを短くすることが出来きて軽量化が図れると共に、ブーム本体部４１０の根元部に応力が集中するのを防止することが出来る。
【０１５５】
また、ブームステー４２０の上側に補強用ステー４３０を設けたことにより、ブーム本体部４１０が散布作業姿勢にある時に上下方向の振れに対して強い強度を有する。
【０１５６】
本実施の形態の右側散布ブーム１２０Ｒのブーム本体部４１０と左側散布ブーム１２０Ｌのブーム本体部４１０は、本発明の回動アームの一例に当たり、本実施の形態の第１パイプ部材４５０Ａ、第２パイプ部材４５０Ｂ、及び第３パイプ部材４５０Ｃのそれぞれは、本発明の配管部材の一例にあたる。また、本実施の形態の散布ノズル１０１は、本発明の散布ノズルの一例にあたる。また、本実施の形態のＬ字プレート４９０は、本発明の支持プレートの一例にあたる。
【０１５７】
また、本実施の形態で説明した、第３パイプ部材４５０Ｃが固定されたパイプステー本体部４４１とＬ字プレート４９０とが、Ｌ字プレート４９０の第２貫通孔４９１ｂに挿入されたボルト４０２と固定部材４４３とにより固定されている構成（図９（ａ）〜図９（ｃ）参照）は、本発明の支持プレートと配管部材とが、第１の位置で連結されている構成の一例である。また、本実施の形態で説明した、Ｌ字プレート４９０とブーム本体部４１０とが、第２貫通孔４９１ｂに挿入されたボルト４０２と固定部材４４３とにより固定されている構成（図９（ａ）〜図９（ｃ）参照）は、本発明の支持プレートと回動部材とが、第２の位置で連結されている構成の一例である。また、本実施の形態で説明した、Ｌ字プレート４９０とパイプステー本体部４４１とが、Ｌ字プレート４９０の第２貫通孔４９１ｂの位置において、同一の締結部材（即ち、ボルト４０２と固定部材４４３）により、ブーム本体部４１０に共締め固定されている構成（図９（ａ）〜図９（ｃ）参照）は、本発明の第１の位置と第２の位置が同じ位置であり、配管部材と支持プレートと回動部材とが同じ位置で連結されている場合の一例にあたる。
【０１５８】
なお、上記実施の形態では、第３パイプ部材４５０Ｃが、パイプステー４４０を介してＬ字プレート４９０により支持されている場合について説明したが、これに限らず例えば、図１４（ａ）〜図１４（ｄ）に示す様に、パイプステー４４０を介して帯鋼の長板部材１４９０により支持された構成でも良い。また、長板部材１４９０は例えばステンレス製であっても良く、その材質には限定されない。
【０１５９】
この構成の場合、長板部材１４９０は、タップ付き第１貫通孔１４９１ａ、タップ付き第２貫通孔１４９ｂ、及びタップ付き第３貫通孔１４９１ｃが形成されている（図１４（ｂ）参照）。ここで、各貫通孔１４９１ａ〜１４９１ｃの内周壁面に形成されたタップは、ボルト４０２のねじ部と螺合可能である。
【０１６０】
この構成の場合、長板部材１４９０の内、タップ付き第１貫通孔１４９１ａとタップ付き第２貫通孔１４９１ｂが設けられた部分は、図１４（ｃ）、図１４（ｄ）に示す様に、ブーム本体部４１０のレール部４１３に挿入されてボルト４０２によりブーム本体部４１０に固定されており、残りの部分は、ブーム本体部４１０の先端部４１０ａから突き出ている。
【０１６１】
即ち、長板部材１４９０の内、レール部４１３に挿入された部分は、図１４（ｄ）に示す様に、ボルト４０２を補助プレート１５００を介してタップ付き第１貫通孔１４９１ａに螺合させることでブーム本体部４１０に固定されると共に、図１４（ｃ）に示す様に、ボルト４０２をパイプステー本体部４４１を介してタップ付き第２貫通孔１４９１ｂに螺合させることで、パイプステー４４０と長板部材１４９０とを、同一のボルト４０２を用いてブーム本体部４１０に対して共締め固定されている。また、長板部材１４９０の内、ブーム本体部４１０の先端部４１０ａから突き出した部分には、第３パイプステー４４０γが、タップ付き第３貫通孔１４９１ｃに対してボルト４０２で固定されている。なお、補助プレート１５００は、ワッシャーであっても良い。これにより、図９（ａ）〜図９（ｃ）で説明したＬ字プレート４９０を用いた場合と同様、第３パイプ部材４５０Ｃの振れ、ガタツキ、損傷等が防止出来るという効果を発揮する。
【０１６２】
ここで、図１４（ａ）は、Ｌ字プレート４９０に代えて長板部材１４９０を取り付けた場合のブーム本体部４１０の先端部４１０ａ及びその周辺部の拡大斜視図であり、図１４（ｂ）は、ブーム本体部４１０の先端部４１０ａのレール部４１３に挿入して固定する長板部材１４９０の斜視図である。また、図１４（ｃ）は、パイプステー４４０と長板部材１４９０とを、ブーム本体部４１０のレール部４１３を利用して共締めした状態を示す概略断面図であり、図１４（ａ）に示したブーム本体部４１０を第２パイプステー４４０βの位置で切断して先端部４１０ａ方向を見た状態の概略図である。また、図１４（ｄ）は、レール部４１３に挿入された長板部材１４９０をブーム本体部４１０に固定するために、ボルト４０２を補助プレート１５００を介してタップ付き第１貫通孔１４９１ａに螺合させた状態を示す概略断面図であり、図１４（ａ）に示したブーム本体部４１０を長板部材１４９０のタップ付き第１貫通孔１４９１ａより上流側の位置で切断して先端部４１０ａ方向を見た状態の概略図である。なお、図９（ａ）〜図９（ｃ）等で説明した構成と同じものには同じ符号を付した。
【０１６３】
また、上記実施の形態では、第１パイプ部材４５０Ａ〜第３パイプ部材４５０Ｃが、ブーム本体部４１０に取り付けられたパイプステー４４０により保持されている場合について説明したが、これに限らず例えば、図１５（ａ）、図１５（ｂ）に示す様に、パイプステー４４０に代えて樹脂製のクランプ部材７００を用いた構成であっても良い。
【０１６４】
ここで、図１５（ａ）は、上述したパイプステー４４０の別例としてのクランプ部材７００の概略斜視図であり、図１５（ｂ）は、左側散布ブーム１２０Ｌのブーム本体部４１０に取り付けられた状態のクランプ部材７００を示す概略斜視図である。
【０１６５】
なお、第１パイプ部材４５０Ａ〜第３パイプ部材４５０Ｃのそれぞれを保持するクランプ部材７００は全て同じ構成であるので、ここでは、第１パイプ部材４５０Ａを保持する場合について説明する。
【０１６６】
クランプ部材７００は、図１５（ａ）、図１５（ｂ）に示す様に、第１パイプ部材４５０Ａのパイプ半径と略同寸法の半円形状の第１凹部７１１を有するクランプ基部７１０と、第１凹部７１１と同寸法の半円形状の第２凹部７５１を有するホルダー部７５０と、ブーム本体部４１０のレール部４１３内をスライド移動可能なサイズの略矩形状の板状部材にタップ付きの貫通孔７９１が形成されたクランプ基部固定部材７９０とから構成されている。クランプ基部７１０とホルダー部７５０は、樹脂成型部材である。クランプ基部７１０は、ブーム本体部４１０のレール部４１３に挿入されたクランプ基部固定部材７９０とボルト７０３とにより、着脱自在でスライド移動可能に固定され、第１凹部７１１に第１パイプ部材４５０Ａを配置し、その上にホルダー部７５０を被せてタッピングねじ７０１でクランプ基部７１０に固定することにより、第１パイプ部材４５０Ａを第１凹部７１１と第２凹部７５１とで挟み込んで確実に固定することが出来る構成である。これにより、メンテナンス等の際には、ホルダー部７５０を外すことで、クランプ基部７１０をブーム本体部４１０に残したまま、第１パイプ部材４５０Ａの取り外しが行える。
【０１６７】
即ち、クランプ基部７１０には、図１５（ａ）、図１５（ｂ）に示す様に、第１凹部７１１の上下の位置に、内周壁面にタップ加工が施された孔を有するタップ付きボス７１２が形成されており、ホルダー部７５０には、第２凹部７５１の上下の位置であって、且つタップ付きボス７１２と対向する位置に貫通孔を有する貫通孔付きボス７５２が形成されている。これにより、クランプ基部７１０に対して、２本のタッピングねじ７０１でホルダー部７５０を確実に固定することが出来る。
【０１６８】
また、クランプ基部７１０には、図１５（ａ）、図１５（ｂ）に示す様に、第１凹部７１１の内壁面に第１溝部７１３が形成されており、ホルダー部７５０には、第２凹部７５１の内壁面に第２溝部７５３が形成されている。第１溝部７１３及び第２溝部７５３には、厚みが、各溝部の深さよりも若干厚めのシリコンシート７０２が嵌め込まれている。これにより、第１パイプ部材４５０Ａのズレやガタツキを防止すると共に、シリコンシート７０２のズレも防止出来て、組立性の向上が図れる。なお、シリコンシート７０２に代えてゴムシートでも良い。
【０１６９】
また、クランプ基部７１０には、図１５（ａ）、図１５（ｂ）に示す様に、ブーム本体部４１０に接する面に、レール部４１３のレール開口部４１３ａの上下寸法Ｍ（図１５（ｂ）参照）に比べて、縦方向の寸法が若干小さめの凸状の段差部７１４が形成されており、段差部７１４の中央には、ボルト７０３を挿入するための段差部貫通孔７１４ａが形成されている。これにより、クランプ基部７１０をブーム本体部４１０に固定する際、段差部７１４をレール部４１３のレール開口部４１３ａに嵌め込んで、レール部４１３に挿入されたクランプ基部固定部材７９０とタッピングねじ７０１で仮止めした後、段差部７１４をレール開口部４１３ａ上で滑らせて任意の位置でボルト７０３をしっかり締め付けることで固定出来るので、組立性の向上が図れる。また、段差部７１４がレール開口部４１３ａに嵌め込まれていることで、クランプ基部７１０の回り止めになると共に、固定位置の肉厚が厚いので強度アップにもなる。
【０１７０】
また、クランプ基部７１０には、図１５（ａ）、図１５（ｂ）に示す様に、段差部貫通孔７１４ａが開口している面の内、段差部７１４が形成されている面と反対側の面、即ち、ボルト７０３を挿入する側の面を左右両側で取り囲む様に立設したリブ７１５が形成されている。また、このリブ７１５は、ホルダー部７５０との合わせ部を繋ぐ様に形成されている。これにより、クランプ基部７１０の強度アップが図れると共に、クランプ基部７１０の近傍でねじ類を落としても、リブ７１５に引っ掛かるので、ねじ類の紛失を防止出来る。
【０１７１】
また、クランプ基部７１０には、図１５（ａ）、図１５（ｂ）に示す様に、段差部貫通孔７１４ａが、クランプ基部７１０とホルダー部７５０との合わせ部より上方の位置、即ち、第１パイプ部材４５０Ａの保持位置が、段差部貫通孔７１４ａより下方の位置となる様に構成されている。これにより、クランプ基部７１０をブーム本体部４１０に固定するためのボルト４０２を締め付ける際に、第１パイプ部材４５０Ａが邪魔にならないので、組立性の向上が図れる。
【０１７２】
また、クランプ部材７００がブーム本体部４１０に固定された状態において、クランプ部材７００の下端部７０４は、ブーム本体部４１０の底面４１０ｂより上方に位置する様に構成されている（図１５（ｂ）参照）。これにより、何らかの部材と干渉する場合において、第１パイプ部材４５０Ａよりも先にブーム本体部４１０の底面４１０ｂが、その部材に当たるので、第１パイプ部材４５０Ａの破損が防止出来る。
【０１７３】
また、上記構成のクランプ部材７００によれば、第１パイプ部材４５０Ａ〜第３パイプ部材４５０Ｃの何れのパイプ部材についても、しっかりと挟み込むことが出来るので、各パイプ部材の両端部をクランプ部材７００で保持するだけで、各パイプ部材をブーム本体部４１０に確実に固定することが出来る。
【０１７４】
また、上記実施の形態では、ブーム本体部４１０には、パイプ部材が３分割されて連結ホース４６０で連結された構成について説明したが、これに限らず例えば、分割することなく１本のパイプ部材をブーム本体部４１０に固定する構成としても良い。
【０１７５】
また、上記実施の形態では、ブーム本体部４１０において応力が集中し易い箇所を挟む位置に隣接配置された、一方のパイプステー４４０ａと他方のパイプステー４４０ｂにより保持された第１パイプ部材４５０Ａと第２パイプ部材４５０Ｂとは互いに分割されており、且つ柔軟性を有する連結ホース４６０ａで連結されている構成について説明したが、パイプステー４４０の位置、パイプ部材の分割位置、及び連結ホース４６０の位置は、上記構成例に限定されるものでは無い。
【０１７６】
また、上記実施の形態では、Ｌ字プレート４９０と第２パイプステー４４０βとは、Ｌ字プレート４９０の第２貫通孔４９１ｂの位置において、同一の締結部材（即ち、ボルト４０２と固定部材４４３）により、ブーム本体部４１０に共締め固定されている場合について説明したが、これに限らず例えば、Ｌ字プレート４９０のブーム本体部４１０への固定、及び、第２パイプステー４４０βのＬ字プレート４９０への固定を、それぞれ個別に行う構成としても良い。
【０１７７】
また、上記実施の形態では、Ｌ字プレート４９０は、第１貫通孔４９１ａの位置において、締結部材（即ち、ボルト４０２と固定部材４４３）により、ブーム本体部４１０に単独で固定されている場合について説明したが、これに限らず例えば、Ｌ字プレート４９０と第１パイプステー４４０αとは、Ｌ字プレート４９０の第１貫通孔４９１ａの位置において、同一の締結部材（即ち、ボルト４０２と固定部材４４３）により、ブーム本体部４１０に共締め固定される構成としても良い。
【０１７８】
また、上記実施の形態では、Ｌ字プレート４９０と第２パイプステー４４０βとは、Ｌ字プレート４９０の第２貫通孔４９１ｂの位置において、同一の締結部材（即ち、ボルト４０２と固定部材４４３）により、ブーム本体部４１０に共締め固定されている場合について説明したが、これに限らず例えば、Ｌ字プレート４９０の第２貫通孔４９１ｂの位置においては、Ｌ字プレート４９０のブーム本体部４１０への固定のみ行い、第２パイプステー４４０βが固定されていない構成であっても良い。この構成によれば、Ｌ字プレート４９０は、第１貫通孔４９１ａ及び第２貫通孔４９１ｂにおいて、ブーム本体部４１０に固定されており、且つ、Ｌ字プレート４９０は、第３パイプ部材４５０Ｃの内、ブーム本体部４１０の先端部４１０ａから突き出した部分だけを、第３パイプステー４４０γを介して支持している。また、この構成によれば、第３パイプ部材４５０Ｃの内、ブーム本体部４１０に沿って配置されている部分は、第１パイプステー４４０αを介してのみブーム本体部４１０に固定されている。
【０１７９】
なお、本実施の形態では、第１パイプ部材４５０Ａ、第２パイプ部材４５０Ｂ、第３パイプ部材４５０Ｃにおける、連結ホース４６０との接続は、連結部材の一例としてワンタッチカプラー４６１を用いた構成について説明したが、これに限らず例えば、ワンタッチカプラー４６１に代えて、ねじ式の連結部材をそれぞれの端部に設けておいて、所定の工具を用いて対向する連結部材を螺合させることにより接続する構成であっても良い。また、この構成の場合、第１パイプ部材４５０Ａ、第２パイプ部材４５０Ｂ、第３パイプ部材４５０Ｃにおける、連結ホース４６０との接続作業を行う際に、工具が散布ノズル１０１と干渉しない様に、パイプ部材の両端部から一定距離だけ離れた位置に散布ノズル１０１が取り付けられていることが好ましい。また、この構成の場合、接続作業において、工具を用いて連結部材を螺合させる際に、連結部材の外周面に、工具と連結部材との間のスリップを防止する回り止め用のＤカット部を設けたり、連結部材の外形を六角形状にしたり、或いは、パイプ部材の側面にＤカット部を設けても良い。これによりメンテナンス等の作業性が向上する。
【０１８０】
また、上記実施の形態では、第１パイプ部材４５０Ａには、散布ノズル１０１が３個設けられており、第２パイプ部材４５０Ｂには、散布ノズル１０１が６個設けられており、第３パイプ部材４５０Ｃには、散布ノズルがパイプ側面に３個設けられ、且つパイプ先端部にパイプ中心軸から下方に略４５°傾斜する様に１個設けられている場合について説明したが、散布ノズル１０１の個数はこれに限定されるものではない。また、第３パイプ部材４５０Ｃのパイプ先端の略４５°に屈曲した屈曲部を樹脂製の部材とすることにより、軽量化を図りながら、散布幅を延長出来る。
【０１８１】
また、上記実施の形態では、クランプ部材７００に第１溝部７１３、第２溝部７５３が形成され、それぞれにシリコンシート７０２が嵌め込まれる構成について説明したが、これに限らず例えば、第１溝部７１３、第２溝部７５３を設けず、シリコンシートをパイプ部材側に巻き付けて、第１凹部７１１の内壁面と第２凹部７５１の内壁面とで挟み込む構成としても良い。この構成でもパイプ部材のズレが防止出来る。
【０１８２】
なお、上記実施の形態では、左側に配置されたパイプ状の前受け部材固定部５２０Ｆが、把持部の機能を兼ねている場合について説明したが、これに限らず例えば、サイドミラーやランプ等を固定するためのステーの機能を兼ねていても良い。
【０１８３】
また、左側に配置されたパイプ状の前受け部材固定部５２０Ｆに限らず、右側に配置されたパイプ状の前受け部材固定部５２０Ｆについても、把持部の機能を兼ねていても良いし、或いは、サイドミラーやランプ等を固定するためのステーの機能を兼ねていても良い。
【０１８４】
また、上記実施の形態では、左右一対のリンク第１連結部材２１１Ｌ、２１１Ｒのそれぞれには、左側に配置された、上側リンク２１０Ｌａ及び下側リンク２１０Ｌｂの後端部が所定間隔を隔てて回動可能に連結され、また、右側に配置された、上側リンク２１０Ｒａ及び下側リンク２１０Ｒｂの後端部が所定間隔を隔てて回動可能に連結された、連結位置の初期高さが変更できない構成について説明したが、これに限らず例えば、左右一対のリンク第１連結部材２１１Ｌ、２１１Ｒのそれぞれには、予め連結孔を複数設けておいて、連結位置の初期高さを変更可能に構成しても良い。これにより、油圧式昇降シリンダー２３０による薬液の散布高さの可変範囲に加えて、連結位置の初期高さを上下に選択的に移動させることで散布高さを変更出来るので、作業形態に、より適した散布高さを選択して、防除作業を実行することが出来る。
【０１８５】
また、上記実施の形態では、左右一対のリンク第２連結部材２１２Ｌ、２１２Ｒのそれぞれには、左側に配置された、上側リンク２１０Ｌａ及び下側リンク２１０Ｌｂの前端部が所定間隔を隔てて回動可能に連結され、また、右側に配置された、上側リンク２１０Ｒａ及び下側リンク２１０Ｒｂの前端部が所定間隔を隔てて回動可能に連結された、連結位置の初期高さが変更できない構成について説明したが、これに限らず例えば、左右一対のリンク第２連結部材２１２Ｌ、２１２Ｒのそれぞれには、予め連結孔を複数設けておいて、連結位置の初期高さを変更可能に構成しても良い。これにより、油圧式昇降シリンダー２３０による薬液の散布高さの可変範囲に加えて、連結位置の初期高さを上下に選択的に移動させることで散布高さを変更出来るので、作業形態に、より適した散布高さを選択して、防除作業を実行することが出来る。
【０１８６】
また、上記構成例では、左右一対のリンク第１連結部材２１１Ｌ、２１１Ｒのそれぞれに、予め連結孔を複数設けた場合、又は、左右一対のリンク第２連結部材２１２Ｌ、２１２Ｒのそれぞれに、予め連結孔を複数設けた場合について説明したが、これに限らず例えば、連結孔を介して連結する構成ではなく、連結位置をスライド移動可能な構成としても良い。これにより、油圧式昇降シリンダー２３０による薬液の散布高さの可変範囲に加えて、連結位置の初期高さを上下にスライド移動させることで散布高さを自由に変更出来るので、作業形態に、より一層適した散布高さを選択して、防除作業を実行することが出来る。
【０１８７】
また、上記実施の形態では、昇降リンク機構２００は、油圧式昇降シリンダー２３０によりフロント水平支柱２２０を昇降させる場合について説明したが、これに限らず例えば、電動機構によりフロント水平支柱２２０を昇降させる構成であっても良い。
【０１８８】
また、上記実施の形態では、第１パイプ部材４５０Ａ及び第２パイプ部材４５０Ｂをステンレス製とし、第３パイプ部材４５０Ｃを炭素繊維製とした場合について説明したが、これに限らず例えば、全てのパイプ部材をステンレス製としても良いし、全てのパイプ部材を炭素繊維製としても良いし、或いは、上記以外の材質で構成されていても良い。
【０１８９】
また、上記実施の形態では、ブームステー４２０の先端部４２０ａ（図６（ｂ）参照）を挟む位置であって、ブーム本体部４１０の長手方向に隣り合った位置に配置されている２つのパイプステー４４０ａと４４０ｂ（図６（ｂ）参照）の内の、一方のパイプステー４４０ａにより保持された第１パイプ部材４５０Ａと、他方のパイプステー４４０ｂにより保持された第２パイプ部材４５０Ｂは、柔軟性を有する連結ホース４６０ａで連通されている場合について説明したが、これらの配置関係に限定されるものでは無い。要するに、左右一対のブーム本体部４１０に沿って取り付けられている、パイプ部材が複数本に分割されていると共に、それぞれが連通されている構成であれば、パイプステー４４０や連結ホース４６０の配置はどの様になされていても良い。また、この構成の場合、パイプ部材の分割数に限定されるものではない。また、この構成の場合、連結ホース４６０は、柔軟性を有してなくても良い。これにより、パイプ部材が破損した場合は、その破損したパイプ部材のみ交換すればよいので、作業性の向上が図れる。
【０１９０】
また、上記実施の形態では、第１パイプ部材４５０Ａ〜第３パイプ部材４５０Ｃを連結するための連結ホース４６０の全てが、柔軟性を有している場合について説明したが、これに限らず例えば、第１パイプ部材４５０Ａと第２パイプ部材４５０Ｂとを連結する連結ホース４６０ａ（図６（ｂ）参照）のみが、柔軟性を有する構成とし、第２パイプ部材４５０Ｂと第３パイプ部材４５０Ｃとを連結する連結ホース４６０（図２参照）は柔軟性を有していなくも良い。
【０１９１】
上記実施の形態では、左右一対のブーム本体部４１０に沿って取り付けられている、パイプ部材が３つに分割されている場合について説明したが、分割されておりさえすれば良く、分割数に限定されるものでは無い。
【０１９２】
また、上記実施の形態では、左側散布ブーム１２０Ｌ、右側散布ブーム１２０Ｒ、及びセンター散布ブーム機構１００Ｃの各パイプ部材への薬液の供給は、薬液分岐装置Ｅ（図２参照）から個別の供給ホース（図２の符号１０２Ｌ、１０２Ｒ、１０２Ｃ参照）により供給される場合について説明したが、これに限らず例えば、センター散布ブーム機構１００Ｃの第２パイプ部材４５０Ｂと右側散布ブーム１２０Ｒの第１パイプ部材４５０Ａを第２連結ホース（図示省略）で繋ぎ、且つ、センター散布ブーム機構１００Ｃの第２パイプ部材４５０Ｂと左側散布ブーム１２０Ｌの第１パイプ部材４５０Ａを第３連結ホース（図示省略）で繋ぎ、防除ポンプ１０からホース１０ａを経由して供給される薬液を第２連結ホース又は第３連結ホースに対して１本の供給ホースにより供給する構成としても良い（図示省略）。この構成の場合は、薬液分岐装置Ｅを設ける必要はないが、薬液分岐装置Ｅに代えて、散布コックレバー（図示省略）を設ける。散布コックレバーを開操作すると、右側散布ブーム１２０Ｒ、センター散布ブーム機構１００Ｃ、左側散布ブーム１２０Ｌから薬液が散布される。この方式は廉価型の型式に用いられる。
【０１９３】
また、上記実施の形態では、防除散布装置１００として、左右一対の散布ブーム機構１００Ｌ、１００Ｒの他に、センター散布ブーム機構１００Ｃを備えた構成について説明したが、これに限らず例えば、センター散布ブーム機構１００Ｃを備えない構成であっても良い。
【０１９４】
また、上記実施の形態では、防除散布装置１００が走行車体２の前側に設けられている場合について説明したが、これに限らず例えば、防除散布装置１００を走行車体２の後側に設けた構成であっても良い。
【０１９５】
また、本発明の作業車両の一例として、上記実施の形態では、肥料や農薬等を溶媒（例えば、水）に溶解させた液体としての薬液を散布する薬液散布作業車１について説明したが、これに限らず例えば、肥料や農薬等の固形分を含む液体（例えば、水）等の液状物を散布剤として散布する作業車両であっても良い。
【０１９６】
また、上記実施の形態では、散布右コックレバーＥ１、散布中央コックレバーＥ２、及び散布左コックレバーＥ３が、防除タンク９を覆うタンクカバーの上面から上方に突き出す様に配置されている場合について説明したが（図２参照）、これに限らず例えば、操縦席７の右側であって、防除タンク９を覆うタンクカバーの前端面から前方に向けて突き出す様に配置されていても良い。この構成の場合、レバーを下方に倒す操作により、薬液の散布が開始される。
【産業上の利用可能性】
【０１９７】
本発明の作業車両によれば、回動アームを収納する際に、配管部材が機体側に当たることを防止出来るという効果を発揮し、農用作業車両として用いられる作業車両などとして有用である。
【符号の説明】
【０１９８】
１  薬液散布作業車
２  走行車体
５  ボンネット
６  エンジン
７  操縦席
８  ハンドル
９  防除タンク
１０  防除ポンプ
１００  防除散布装置
１００Ｃ  センター散布ブーム機構
１００Ｌ  左側散布ブーム機構
１００Ｒ  右側散布ブーム機構
１０１    散布ノズル
１２０Ｌ  左側散布ブーム
１２０Ｒ  右側散布ブーム
３００Ｌ  左側回動部
３００Ｒ  右側回動部
４１０    ブーム本体部
４４０    パイプステー
４４１    パイプステー本体部
４４２    パイプクランプ部
４５０Ａ  第１パイプ部材
４５０Ｂ  第２パイプ部材
４５０Ｃ  第３パイプ部材
４６０    連結ホース  
４８０    作業灯
４９０    Ｌ字プレート
５００ＦＬ  左側ブーム前受け部材
５００ＦＲ  右側ブーム前受け部材
５００ＢＬ  左側ブーム後受け部材
５００ＢＲ  右側ブーム後受け部材
７００      クランプ部材
【図１】
2019097404.tif 000003
【図２】
2019097404.tif 000004
【図３】
2019097404.tif 000005
【図４】
2019097404.tif 000006
【図５】
2019097404.tif 000007
【図６】
2019097404.tif 000008
【図７】
2019097404.tif 000009
【図８】
2019097404.tif 000010
【図９】
2019097404.tif 000011
【図１０】
2019097404.tif 000012
【図１１】
2019097404.tif 000013
【図１２】
2019097404.tif 000014
【図１３】
2019097404.tif 000015
【図１４】
2019097404.tif 000016
【図１５】
2019097404.tif 000017